(57)【要約】【課題】収納された竿杆、特に狭い収納空間内に収納された細径の竿杆の取り出し性が良好な釣竿収納ケースの提供を目的としている。【解決手段】本発明の一実施形態に係る釣竿収納ケース１は、竿杆を収納するための収納空間Ｓを形成する筒状のケース本体２と、収納空間Ｓ内に配置され、収納空間Ｓ内の一部で竿杆を個別に収納保持する個別収納体２０とを備え、個別収納体２０がケース本体２に対して着脱自在に取り付けられることを特徴とする。【選択図】図１
2009207355.tif 000002
【特許請求の範囲】
【請求項１】
竿杆を収納するための収納空間を形成する筒状のケース本体と、
前記収納空間内に配置され、前記収納空間内の一部で竿杆を個別に収納保持する個別収納体と、
を備え、
前記個別収納体が前記ケース本体に対して着脱自在に取り付けられることを特徴とする釣竿収納ケース。
【請求項２】
前記個別収納体は、釣竿の穂先竿杆を収納するための筒状ケースとして形成されていることを特徴とする請求項１に記載の釣竿収納ケース。
【請求項３】
前記個別収納体が前記ケース本体の収納空間内に取り付けられた状態で、前記個別収納体の竿杆取り出し開口部が前記ケース本体の竿杆取り出し開口部の近傍に位置されることを特徴とする請求項１または請求項２に記載の釣竿収納ケース。
【請求項４】
前記ケース本体の竿杆取り出し開口部を開閉可能に閉塞するための第１の蓋体と、前記個別収納体の竿杆取り出し開口部を開閉可能に閉塞するための第２の蓋体とを更に備え、前記第１の蓋体の開閉方向と前記第２の蓋体の開閉方向とが略一致していることを特徴とする請求項１ないし請求項３のいずれか１項に記載の釣竿収納ケース。
【発明の詳細な説明】
【技術分野】
【０００１】
本発明は、釣竿の竿杆を区分け収納するための釣竿収納ケースに関する。
【背景技術】
【０００２】
従来から、釣竿の竿杆を収納する釣竿収納ケースは様々な形態のものが知られており、その中には、複数本の竿杆を区分けして収納できるように仕切りによって複数の収納部を形成して成るものがある。こうした釣竿収納ケースは、特に、鮎竿、渓流竿、あるいは、へら竿等のように構造が比較的薄肉の釣竿（竿杆）を収納し、折損等を防止するのに適している（例えば、特許文献１参照）。
【特許文献１】特開２００５−１９８５０８号公報
【発明の開示】
【発明が解決しようとする課題】
【０００３】
ところで、特許文献１に開示されるような複数の収納部を有する釣竿収納ケースは、その内側の収納空間が、仕切りによって、比較的太径の竿杆（例えば、継ぎ竿の場合には、元竿杆や中竿杆など）を収納するための竿杆収納部と、細径の竿杆（例えば穂先竿杆）を収納するための竿杆収納部とに区分けされているが、これらの竿杆収納部のうち、特に細径の竿杆を収納する竿杆収納部は、その収納対象の直径に起因してその収納空間が一般的に狭く、したがって、この狭い収納空間内に指を突っ込んで細い竿杆を指で摘み出すことが難しい。そのため、使用者は、一般に、釣竿収納ケースを傾けたり逆さまにしたりすることにより、狭い竿杆収納部内から細い竿杆の先端を突出させ、その竿杆を指で摘めるようにしている。
【０００４】
しかしながら、そのように、釣竿収納ケースを傾けたり逆さまにしたりすると、竿杆が勢い良く飛び出し、誤って竿杆を地面等に落下させて破損させてしまう虞がある。無論、このような不具合は、例えば、竿杆収納部の底面の高さを調整するなどして、竿杆の先端を指で容易に摘める高さで竿杆を竿杆収納部内に収納できるようにすれば回避できるが、竿杆の長さは釣竿の種類等によって異なり、そのような個々の釣竿に対応して竿杆収納部を形成（調整）することは生産性の悪化を招くことになる。
【０００５】
本発明は、前記事情に着目してなされたものであり、その目的とするところは、収納された竿杆、特に狭い収納空間内に収納された細径の竿杆の取り出し性が良好な釣竿収納ケースを提供することである。
【課題を解決するための手段】
【０００６】
前記課題を解決するために、本発明の釣竿収納ケースは、竿杆を収納するための収納空間を形成する筒状のケース本体と、前記収納空間内に配置され、前記収納空間内の一部で竿杆を個別に収納保持する個別収納体とを備え、前記個別収納体が前記ケース本体に対して着脱自在に取り付けられることを特徴とする。
【発明の効果】
【０００７】
本発明によれば、ケース本体の収納空間の一部で竿杆を個別に収納保持する個別収納体が、ケース本体に対して着脱自在であるため、個別収納体が細い竿杆を収納保持する狭い収納空間を形成する場合であっても、その狭い個別収納体の収納空間内から細径の竿杆を容易に取り出すことができる。つまり、釣竿収納ケースを傾けたり逆さまにしなくても、ケース本体から個別収納体を取り外すだけで、個別収納体内の竿杆を釣竿収納ケースから容易に取り出すことができ、あるいは、個別収納体から容易に抜き出すことができ、釣竿収納ケースを傾けたり逆さまにしたりすることによる竿杆の飛び出し、竿杆の落下・破損を未然に防止することができる。また、竿杆の取り出し性を向上させるために個々の竿杆の長さに対応させて竿杆収納部を個別に形成する必要もないため、生産性の悪化を招くこともない。
【発明を実施するための最良の形態】
【０００８】
以下、図面を参照しながら本発明の一実施形態について説明する。なお、以下の説明では、その方向を規定するために、図１に示されるＸＹＺ座標系を用い、Ｘ方向を前後方向、Ｚ方向を上下方向、Ｙ方向を左右方向として話を進めることとする。
【０００９】
図１に示されるように、本実施形態に係る釣竿収納ケース１は、竿杆（例えば、複数本の竿杆）を収納するための収納空間Ｓを形成する筒状のケース本体２と、ケース本体２の収納空間Ｓ内に着脱自在に取り付け配置されるようになっている個別収納体２０とを備えている。
【００１０】
図２にも示されるように、ケース本体２は、その上端の竿杆取り出し開口部９の周縁をカバーするフレーム部材３と、下端開口を閉塞する底部材４とを有する矩形断面の有底筒状体として形成されている。また、ケース本体２は、竿杆取り出し開口部９を開閉可能に閉塞するための第１の蓋体５を有しており、この第１の蓋体５は竿杆取り出し開口部９の後側縁部（ケース本体２の上端側縁部）に回動可能に接合され或いはヒンジ結合されている。また、第１の蓋体５の端部には、ケース本体２の前面上端部中央に設けられた止め具８に係脱自在に取り付けられて係止される係止部６が設けられており、係止部６を止め具８に取り付け係止することにより、竿杆取り出し開口部９の閉塞状態を維持できるようになっている。なお、係止部６と止め具８との着脱自在な取り付け形態としては、マグネット、凹凸嵌合、面ファスナなどを挙げることができる。また、フレーム部材３の前面には、個別収納体２０を着脱自在に取り付けるための後述する着脱取付部７が設けられている。
【００１１】
一方、個別収納体２０は、前述したようにケース本体２に対して着脱自在に取り付けられるようになっており、図３に示されるようにケース本体２から取り外すことができる。この個別収納体２０は、ケース本体２の収納空間Ｓ内の一部で竿杆を個別に収納保持するものであればどのような形態のものであっても良く、したがって、竿杆を底部から保持する保持面と、保持面をケース本体２内から取り出すための指などで掴むことができる把持部と、竿杆を側方で少なくとも部分的に支持することができる支持部とを少なくとも備えていれば良い。一例として、本実施形態の個別収納体２０は、釣竿の穂先竿杆（細径の竿杆）を１本収納するための狭い収納空間Ｓ’を形成する筒状ケース２１として形成されている。すなわち、個別収納体２０は、ケース本体２の収納空間Ｓ内に取り付けられた状態では、ケース本体２の収納空間Ｓから仕切られる個別の更なる収納空間Ｓ’を形成するようになっている。
【００１２】
具体的に、図示の個別収納体２０は、上端に竿杆取り出し開口部２３を有する断面が矩形の筒状ケース２１として形成されるとともに、ケース本体２の収納空間Ｓ内に収納される例えば元竿杆と接触しても傷付かない材質によって形成されている。また、その場合、例えばエンビケースをＥＶＡで被覆するなどの２重構造を成していても良い（勿論、樹脂材などの１重構造であっても構わない）。また、収納空間Ｓ’は断面が円形の空間として形成されており、収納空間Ｓ’の高さ（長さ）は、ここに収納される穂先竿杆の先端を竿杆取り出し開口部２３を通じて指で摘み出せるように設定されている。
【００１３】
また、個別収納体２０は、竿杆取り出し開口部２３を開閉可能に閉塞するための第２の蓋体２２を有しており、この第２の蓋体２２は筒状ケース２１の上端側縁部に回動可能に接合され或いはヒンジ結合されている。また、第２の蓋体２２の端部には、ケース本体２の前面上端の側部に設けられた着脱取付部７に着脱自在に取り付けられる被取付部２４が設けられており、被取付部２４を着脱取付部７に対して取り付けることにより、竿杆取り出し開口部２３の閉塞状態を維持できると同時に、個別収納体２０をケース本体２に対して取り付けることができる。すなわち、本実施形態において、着脱取付部７は、第２の蓋体２２の着脱自在な取り付けと、ケース本体２に対する個別収納体２０の着脱自在な取り付けの両方を兼ねている。なお、個別収納体２０は、それを単体で持ち運ぶ際に第２の蓋体２２を閉じることができるように、筒状ケース２１の前面上端側に、被取付部２４が着脱自在に取り付けられる取付部２９が設けられている。この取付部２９および前記着脱取付部７と前記被取付部２４との着脱自在な取り付け形態としては、マグネット、凹凸嵌合、面ファスナなどを挙げることができる。また、本実施形態において、着脱取付部７はケース本体２の外側に設けられているが、ケース本体２の内側に設けられていても良い。
【００１４】
また、着脱取付部７を用いて個別収納体２０をケース本体２の収納空間Ｓ内に取り付けられた状態では、図１に明確に示されるように、個別収納体２０の竿杆取り出し開口部２３がケース本体２の竿杆取り出し開口部９の近傍に位置されるようになっている。ここで、「近傍」とは、指が届く長さ範囲のことであり、この図では、竿杆取り出し開口部２３と竿杆取り出し開口部９とが略面一となっている。
【００１５】
また、本実施形態では、ケース本体２の第１の蓋体５の開閉方向（図１に矢印で示す）と、個別収納体２０の第２の蓋体２２の開閉方向（図１に矢印で示す）とを略一致させている。すなわち、そのような蓋体５，２２の開閉方向となるように着脱取付部７を用いて個別収納体２０がケース本体２に対して取り付けられるようになっている。この場合、図示の例では、両方の蓋体５，２２がＸＺ面と平行にＸ方向で開閉するという点でその開閉方向が略一致している。
【００１６】
以上説明したように、本実施形態の釣竿収納ケース１は、ケース本体２の収納空間Ｓの一部で竿杆を個別に収納保持する個別収納体２０が、ケース本体２に対して着脱自在であるため、個別収納体２０が細い竿杆を収納保持する狭い収納空間Ｓ’を形成する場合であっても、その狭い個別収納体２０の収納空間Ｓ’内から細径の竿杆を容易に取り出すことができる。つまり、釣竿収納ケース１を傾けたり逆さまにしなくても、ケース本体２から個別収納体２０を取り外すだけで、個別収納体２０内の竿杆を釣竿収納ケース１から容易に取り出すことができ、あるいは、個別収納体２０から容易に抜き出すことができ、釣竿収納ケース１を傾けたり逆さまにしたりすることによる竿杆の飛び出し、竿杆の落下・破損を未然に防止することができる。また、竿杆の取り出し性を向上させるために個々の竿杆の長さに対応させて竿杆収納部を個別に形成する必要もないため、生産性の悪化を招くこともない。また、個別収納体２０が着脱自在であるため、替穂先をケース毎、釣り場に持って行くことができ、便利である。
【００１７】
また、本実施形態の釣竿収納ケース１では、個別収納体２０がケース本体２の収納空間Ｓ内に取り付けられた状態で、個別収納体２０の竿杆取り出し開口部２３がケース本体２の竿杆取り出し開口部９の近傍に位置されるようになっている。そのため、個別収納体２０の収納空間Ｓ’からの竿杆の取り出しが容易になる。
【００１８】
また、本実施形態の釣竿収納ケース１において、個別収納体２０は、ケース本体２の収納空間Ｓから仕切られる個別の更なる収納空間Ｓ’を形成するようになっている。したがって、複数の竿杆を干渉させずに区分けして収納することができる。また、この区分けに関しては、例えば１つの個別収納体２０をケース本体２の前面の中央内側に取り付けると、収納空間Ｓ内を個別収納体２０を挟んで左右両側におおまかに区分けすることができ、また、これに加えてもう１つの他の個別収納体２０をケース本体２の後面の中央内側に取り付けると、収納空間Ｓ内を個別収納体２０の左右両側に更に明確に区分けすることができる。このように、個別収納体２０は、その内側の収納空間Ｓ’をケース本体２の収納空間Ｓに対して区分けするだけでなく、ケース本体２内におけるその取り付け位置に応じて、ケース本体２の収納空間Ｓ内自体を様々に区分けすることができる。
【００１９】
また、本実施形態の釣竿収納ケース１は、ケース本体２の竿杆取り出し開口部９を開閉可能に閉塞するための第１の蓋体５と、個別収納体２０の竿杆取り出し開口部２３を開閉可能に閉塞するための第２の蓋体２２とを備えており、第１の蓋体５の開閉方向と第２の蓋体２２の開閉方向とが略一致している。このように、第１の蓋体５の開閉方向と第２の蓋体２２の開閉方向とが略一致していると、第２の蓋体２２を万一閉め忘れた場合であっても、第１の蓋体５を閉めることで自動的に第２の蓋体２２も閉められるため、安全である。また、ケース本体２だけでなく穂先竿用ケースである個別収納体２０にも蓋体２２を設けたことにより、ケース本体２の収納空間Ｓから元竿杆を取り出す際に穂先竿杆が飛び出すことを防止できる。
【００２０】
なお、本発明は、前述した実施形態に限定されず、その要旨を逸脱しない範囲で種々変形して実施可能である。例えば、前述した実施形態において、個別収納体２０は、釣竿の穂先竿杆（細径の竿杆）を１本収納するための狭い収納空間Ｓ’を形成する筒状ケース２１として形成されているが、個別収納体２０は、複数本の穂先竿杆を収納できる収納空間Ｓ’を形成しても良い。また、その場合には、収納空間Ｓ’が仕切りによって複数の区画室に区分けされていても構わない。また、前述した実施形態では、１つの個別収納体２０がケース本体２の収納空間Ｓ内に着脱自在に取り付け配置されるが、複数の個別収納体２０がケース本体２の収納空間Ｓ内に着脱自在に取り付け配置されても良い。
【図面の簡単な説明】
【００２１】
【図１】本発明の一実施形態に係る釣竿収納ケースの概略的な斜視図である。
【図２】図１の釣竿収納ケースを構成するケース本体の斜視図である。
【図３】図１に釣竿収納ケースを構成する個別収納体の斜視図である。
【符号の説明】
【００２２】
１  釣竿収納ケース
２  ケース本体
５  第１の蓋体
２０  個別収納体
２１  筒状ケース
２２  第２の蓋体
９，２３  竿杆取り出し開口部
Ｓ  収納空間
Ｓ’  更なる収納空間
【図１】
2009207355.tif 000003
【図２】
2009207355.tif 000004
【図３】
2009207355.tif 000005